(57)【要約】  【課題】  コルゲートチューブの切断端とワイヤハーネスとの干渉を防ぐ。  【解決手段】  プロテクタ２１の少なくとも底壁２２ａの内面には、コルゲートチューブ挿入口２７からコルゲートチューブ１１の挿入側先端１５に達するまでの位置に、コルゲートチューブ１１の谷部１３に嵌合する位置決めリブ２９を突設し、かつ、コルゲートチューブ１１の挿入側先端１５に当たる位置のプロテクタ２１の底壁２２ｃから保護リブ３０を突設し、該保護リブ３０のコルゲートチューブ１１の谷部１３より高い位置にワイヤハーネス挿通溝３１を上面から凹設し、該ワイヤハーネス挿通溝３１にワイヤハーネスＷ／Ｈを挿通保持して、コルゲートチューブ１１の切断端１５のエッジにワイヤハーネスの電線ｗを接触させない構成としている。  【選択図】  図４
2006311690.tif 000002
【特許請求の範囲】
【請求項１】
周壁に山部と谷部とが交互に形成されているコルゲートチューブの切断端からワイヤハーネスを突出させ、底壁と両側壁とを有する樹脂成形品からなるボックス形状のプロテクタ内に挿通させるワイヤハーネスの保護構造であって、
前記プロテクタの少なくとも底壁内面には、コルゲートチューブの挿入口からコルゲートチューブの挿入側先端に達するまでの位置に、コルゲートチューブの谷部に嵌合する位置決めリブを突設し、かつ、前記コルゲートチューブの挿入側先端に当たる位置のプロテクタ底壁から保護リブを突設し、該保護リブのコルゲートチューブの谷部より高い位置にワイヤハーネス挿通溝を上面から凹設し、
前記ワイヤハーネス挿通溝にコルゲートチューブの先端より突出するワイヤハーネスを挿通保持して、コルゲートチューブの先端エッジにワイヤハーネスの電線を接触させない構成としていることを特徴とするワイヤハーネスの保護構造。
【請求項２】
前記保護リブに設けるワイヤハーネス挿通溝の周縁より、コルゲートチューブ挿通側に突出させた保護ガイド部を設け、該保護ガイド部の内部にワイヤハーネスを挿通させている請求項１に記載のワイヤハーネスの保護構造。
【発明の詳細な説明】
【技術分野】
【０００１】
本発明は自動車等に配索されるワイヤハーネスの保護構造に関し、詳しくは、ワイヤハーネスを外装したコルゲートチューブをプロテクタと接続し、電線群をコルゲートチューブから引き出してプロテクタ内に挿通する際に、コルゲートチューブの先端にワイヤハーネスの電線群が干渉するのを防止し、電線群に損傷が発生しないようにするものである。
【背景技術】
【０００２】
自動車に配索するワイヤハーネスには、他の車載部品等の外部干渉を防止するために、所要箇所に、合成樹脂製で剛性を有すると共に、谷部と山部とが軸線方向に交互に設けられて屈曲性に富んだコルゲートチューブが外装されている。
前記ゴルゲートチューブは長尺に製造され、所要長さで切断して使用されており、切断端は剛性を有する樹脂端からなるため、鋭利なエッジを呈することとなる。
このゴルゲートチューブ内に電線群からなるワイヤハーネスを挿通させる場合、図５（Ａ）に示すように、電線群の外周にテープが密に巻きつけられて保護されているワイヤハーネス２の場合には、コルゲートチューブ１の切断端１ａからワイヤハーネス２が引き出される際に干渉しても、電線群をテープで保護されているため、前記エッジが電線に直接当たらず損傷の発生をある程度防止することができる。しかしながら、図５（Ｂ）に示すように、電線ｗにテープにより結束保護されていない場合には、振動等によりコルゲートチューブ１の切断端１ａに接触すると電線ｗに損傷が発生し、隣接する電線間でショートが生じる恐れがある。特に、ノンハロ電線の被覆は破れやすく、コルゲートチューブの切断端との干渉が問題となっている。
【０００３】
前記した問題に対して、本出願人の出願にかかる特開２００２−３６９３３０号（特許文献１）では、図６（Ａ）（Ｂ）に示すように、コルゲートチューブ４の端部に取り付けるエンドキャップ５が提案している。
前記エンドキャップ５は、断面Ｃ字形状の筒体よりなり、コルゲートチューブ４の周縁端部４ａに突き当てる端面部５ａと、該端面部５よりコルゲートチューブ４の外周面に沿って延在する外周壁部５ｂと、コルゲートチューブ４の内周面に沿って延在させる内周壁部５ｃと、外周壁部５ｂの内面より径方向に突設した係止部５ｄと、外周壁部５ｂより径方向に突出し、かつ軸線方向に連続するスリット嵌合部５ｅとを備えている。前記係止部５ｄをコルゲートチューブ４の谷部４ｂに嵌合させると共に、前記スリット嵌合部５ｅをコルゲートチューブ４のスリット４ｃに挿入することにより、軸線方向および周方向の位置ズレを規制してコルゲートチューブ４に取り付けている。
【０００４】
前記エンドキャップ５の内周壁部５ｃは、コルゲートチューブ４と電線６との間に挿入されるため、該内周壁部５ｃの装着箇所については、コルゲートチューブ４の端部と電線６との干渉を防止することができる。しかしながら、このエンドキャップ４は、そもそもコルゲートチューブ４のスリット４ｃが開くことによる電線６のはみ出しや、スリット４ｃで挟みこむことによる電線６の損傷の防止を目的とするものであるため、断面Ｃ字形状よりなり、コルゲートチューブ４の周縁端部４ａを全周にわたって覆う構造ではないため、電線６とコルゲートチューブ４の周縁端部４ａとの干渉を完全に防止することはできない。
【０００５】
また、特開２０００−１３９５０号（特許文献２）では、図７（Ａ）〜（Ｄ）に示すように、コルゲートチューブ７の固定具８が提案されている。この固定具８は、筒状の本体８ａの上壁の内壁より固定爪８ｂが、下壁の内壁より挿入方向下方へ傾斜自在な傾動片８ｃが突設されると共に、該本体８ａの開口部８ｄから所要寸法離隔した位置の内側に、貫通穴８ｅを設けた仕切り壁８ｆを設けている。
【０００６】
この貫通穴８ｅの内径はコルゲートチューブ７の外径よりも小径としているため、この固定具８に、コルゲートチューブ７で外装した電線９を開口部８ｄから挿入すると、コルゲートチューブ７の挿入は前記仕切り壁８ｆに突き当たって止まり、電線９のみが貫通穴８ｅ内に挿通される。また、コルゲートチューブ７は、その谷部７ａに、固定具８の前記固定爪８ｂと前記傾動片８ｃが係合して固定される。
【０００７】
前記固定具８は、前記傾動片８ｃの傾斜により、一定範囲内であれば多種類の径のコルゲートチューブを固定できる。しかしながら、図７（Ｄ）に示すように、該傾動片８ｃが常に上方に付勢されるため、コルゲートチューブ７は上方へ押し上げられ、コルゲートチューブ７の周縁端部７ｂ、特に底側の周縁端部７ｂが電線９と干渉することを防止できない。
【０００８】
よって、コルゲートチューブがプロテクタに連続して設けられ、該コルゲートチューブの先端がプロテクタ内に挿入され、該コルゲートチューブの先端から電線が引き出されてプロテクタ内に挿通させる場合においても、前記特許文献２に相当する構成とすると、電線群とコルゲートチューブの端部との干渉を防止できない。
【０００９】
【特許文献１】特開２００２−３６９３３０号公報
【特許文献２】特開２０００−１３９５０号公報
【発明の開示】
【発明が解決しようとする課題】
【００１０】
本発明は前記問題に鑑みてなされたもので、コルゲートチューブの端部のエッジとの干渉による電線被覆の破損を防止することができるワイヤハーネスの保護構造の提供を課題としている。
【課題を解決するための手段】
【００１１】
前記課題を解決するために、本発明は、周壁に山部と谷部とが交互に形成されているコルゲートチューブの切断端からワイヤハーネスを突出させ、底壁と両側壁とを有する樹脂成形品からなるボックス形状のプロテクタ内に挿通させるワイヤハーネスの保護構造であって、
前記プロテクタの少なくとも底壁内面には、コルゲートチューブの挿入口からコルゲートチューブの挿入側先端に達するまでの位置に、コルゲートチューブの谷部に嵌合する位置決めリブを突設し、かつ、前記コルゲートチューブの挿入側先端に当たる位置のプロテクタ底壁から保護リブを突設し、該保護リブのコルゲートチューブの谷部より高い位置にワイヤハーネス挿通溝を上面から凹設し、
前記ワイヤハーネス挿通溝にコルゲートチューブの先端より突出するワイヤハーネスを挿通保持して、コルゲートチューブの先端エッジにワイヤハーネスの電線を接触させない構成としていることを特徴とするワイヤハーネスの保護構造を提供している。
【００１２】
即ち、コルゲートチューブの切断端と、該切断端から突出したワイヤハーネスの電線群をプロテクタ内に挿通させるとともに、該プロテクタ内の前記保護リブに凹設したワイヤハーネス挿通溝の底部の高さを、前記位置決めリブに嵌合されたコルゲートチューブの谷部よりも高い位置とすることにより、このワイヤハーネス挿通溝に挿入保持された電線は、コルゲートチューブの底側の先端エッジよりも常に上方に位置し、該エッジと干渉しないように保持されるため、電線被覆の破損やそれに因るショートを防止できる。
【００１３】
前記保護リブに設けるワイヤハーネス挿通溝の周縁より、コルゲートチューブ挿通側に突出させた保護ガイド部を設け、該保護ガイド部の内部にワイヤハーネスを挿通させることが好ましい。
このように、保護リブよりコルゲートチューブ挿通側に屈曲させて突設した保護ガイド部により、コルゲートチューブの先端エッジは該保護ガイド部の下側に引っ掛かるため、コルゲートチューブのくせ付けによる浮き上がりや走行中の振動等による跳ね上がりを規制できる。従って、コルゲートチューブの先端エッジと電線との間に常に保護ガイド部が介在することになり、該先端エッジと電線とが直接干渉し合うことを一層確実に防止できる。
【発明の効果】
【００１４】
上述したように、本発明によれば、コルゲートチューブの切断端と、該切断端から突出した電線とをプロテクタに挿入し、該プロテクタ内に設けた保護リブで、電線をコルゲートチューブから遊離した上方位置で保持することにより、コルゲートチューブの先端エッジと電線との干渉、およびそれによる電線被覆の破損やショートを防止できる。
【００１５】
また、前記保護ガイド部により、コルゲートチューブの先端エッジの跳ね上がりや浮き上がりを常に規制し、該先端エッジと電線との干渉をより確実に防止できる。
【発明を実施するための最良の形態】
【００１６】
以下、本発明の実施形態を図面を参照して説明する。
図１乃至図４は、本発明の第１実施形態に係るワイヤハーネスの保護構造を示し、ワイヤハーネスＷ／Ｈをコルゲートチューブ１１で外装するとともに、ボックス形状のプロテクタ２１に挿通させている。
【００１７】
前記コルゲートチューブ１１は合成樹脂で成形され、周壁に山部１２と谷部１３とを交互に形成して屈曲性および伸縮性を備えている。このコルゲートチューブ１１は所要長さに切断されており、図１に示すように、ワイヤハーネスＷ／Ｈを挿通した後、該コルゲートチューブ１１の一方の切断端１４をワイヤハーネスＷ／Ｈに位置決めのためにテープＴで巻きつけ固定し、他方の切断端１５（先端）から引き出されるワイヤハーネスＷ／Ｈはプロテクタ２１内を挿通させるため、テープ巻きすることなく電線群を引き出している。
【００１８】
前記プロテクタ２１は樹脂で一体成形され、図１および図３に示すように、樋形状のプロテクタ本体２２と該プロテクタ本体２２の上方開口を閉鎖する蓋体２３とを、一端側ではヒンジ２４を介して連結し、他端側ではロック部２５と被ロック部２６とで開閉自在にロック結合している。
【００１９】
前記プロテクタ本体２２は、長手方向の両端を開口しており、一端側はコルゲートチューブ挿入口２７とし、他端側をワイヤハーネス導出口２８としている。プロテクタ本体２２の内部のワイヤハーネス挿入口２７の近傍には、コルゲートチューブ１１の谷部１３と嵌合する複数の位置決めリブ２９を長手方向に並設している。位置決めリブ２９の形成箇所は、具体的には、図２にも示すように、コルゲートチューブ１１を挿通した状態における該コルゲートチューブ１１の挿入側先端１５の位置からワイヤハーネス挿入口２７までの領域の少なくとも一部としている。
前記位置決めリブ２９は、プロテクタ本体２２の底壁２２ａおよび両側壁２２ｂ、２２ｃの内面より連続的に突設され、断面略Ｕ字形状としている。
【００２０】
また、プロテクタ本体２２の内部には、図２および図４に示すように、プロテクタ本体２２にコルゲートチューブ１１を挿通した状態における該コルゲートチューブ１１の挿入側先端１５に当たる位置に、断面略Ｕ字形状の保護リブ３０を形成している。
【００２１】
詳しくは、前記保護リブ３０は、プロテクタ本体２２の底壁２２ａおよび両側壁２２ｂ、２２ｃの内面より連続的に、かつワイヤハーネスＷ／Ｈの挿通方向に対して直交するように突設されている。また、該保護リブ３０の上面より断面Ｕ字状のワイヤハーネス挿通溝３１を凹設するとともに、該ワイヤハーネス挿通溝３１の周縁に沿って保護リブ３０をＬ字状に屈曲させて、コルゲートチューブ挿通側に保護ガイド部３２を突出させている。前記ワイヤハーネス挿通溝３１は、その内径をコルゲートチューブ１１の外径よりも小寸とすると共に、図４に示すように、その底部３１ａの高さＨ１が、コルゲートチューブ１１の谷部１３を前記位置決めリブ２９に嵌合させた状態における該コルゲートチューブ１１の谷部１３の高さＨ２よりも高くなるように形成している。
【００２２】
前記構成のプロテクタ２１にコルゲートチューブ１１に外装されたワイヤハーネスＷ／Ｈを挿通すると、ワイヤハーネスＷ／Ｈは前記保護リブ３０のワイヤハーネス挿通溝３１によって高位置に保持されるとともに、前記コルゲートチューブ１１の挿入側先端１５の底側は保護ガイド部３２の下側に引っ掛かって納まる。従って、振動等により最も干渉しやすく損傷しやすいワイヤハーネスＷ／Ｈの底側とコルゲートチューブ１１の切断端１５とを接触させないうえ、コルゲートチューブ１１の切断端１５の跳ね上がりや浮き上がりを保護ガイド部３２が常に規制するため、ワイヤハーネスＷ／Ｈの電線ｗとコルゲートチューブ１１の切断端との干渉を常時防ぎ、電線ｗの絶縁被覆の破れやそれに起因するショートをより確実に防止できる。
【図面の簡単な説明】
【００２３】
【図１】本発明の第一実施形態に係るワイヤハーネスの保護構造の分解斜視図である。
【図２】プロテクタにワイヤハーネスとコルゲートチューブとを挿通した状態を示す要部斜視図である。
【図３】プロテクタにワイヤハーネスとコルゲートチューブを挿通してロック閉鎖した状態を示す斜視図である。
【図４】プロテクタにワイヤハーネスとコルゲートチューブとを挿通した状態を示す要部拡大説明図である。
【図５】（Ａ）（Ｂ）は従来例の図である。
【図６】他の従来例の図である。
【図７】他の従来例の図である。
【符号の説明】
【００２４】
Ｗ／Ｈ  ワイヤハーネス
ｗ      電線
１１  コルゲートチューブ
１５  挿入側先端（切断端）
２１  プロテクタ
２２  プロテクタ本体
２７  コルゲートチューブ挿入口
２９  位置決めリブ
３０  保護リブ
３１  ワイヤハーネス挿通溝
３２  保護ガイド部
【図１】
2006311690.tif 000003
【図２】
2006311690.tif 000004
【図３】
2006311690.tif 000005
【図４】
2006311690.tif 000006
【図５】
2006311690.tif 000007
【図６】
2006311690.tif 000008
【図７】
2006311690.tif 000009